【事件の表示】
　特願２０１０−１６１６５３「有機発光平板表示装置および有機発光平板表示装置の制御方法」拒絶査定不服審判事件〔平成２２年１２月２４日出願公開、特開２０１０−２８６８４０〕について、次のとおり審決する。
【結　論】
　本件審判の請求は、成り立たない。
【理　由】
１．手続の経緯
　本願は、平成１８年８月８日に出願した特願２００６−２１５５５５号の一部を平成２２年７月１６日（パリ条約による優先権主張２００５年８月８日、大韓民国）に新たな特許出願としたものであって、平成２４年４月２６日付けで拒絶理由通知がなされ、同年７月３１日付けで特許請求の範囲についての補正がなされたが、同年１２月２８日付け（送達日：平成２５年１月８日）で拒絶査定がなされ、これに対し、同年５月８日に拒絶査定不服審判の請求がなされると同時に特許請求の範囲についての補正（以下、「本件補正」という。）がなされたものである。
　
２．原査定の拒絶の理由
　原査定の拒絶の理由は、概略、各請求項に記載された発明は、いずれも、本願優先日前に日本国内において頒布された刊行物である特開２００５−５５７２６号公報（発明の名称：ＥＬ表示装置、出願人：東芝松下ディスプレイテクノロジー株式会社、公開日：平成１７年３月３日、以下「引用例１」という。）に記載された発明、本願優先日前に日本国内において頒布された刊行物である特開平１１−２９５６９２号公報（発明の名称：液晶表示装置、出願人：ソニー株式会社、公開日：平成１１年１０月２９日、以下「引用例２」という。）に記載された技術事項及び周知技術に基づいて、当業者が容易に発明をすることができたものであるから特許を受けることができない、というものである。
　
３．本願発明
　本件補正の特許請求の範囲についてした補正は、実質的に請求項の削除を目的とするものであり、本件補正は適法である。
　そして、本願の請求項１ないし６に係る発明は、本件補正によって補正された特許請求の範囲の請求項１ないし６に記載された事項により特定されるとおりのものと認められるところ、その請求項１に係る発明は次のとおりである。
　
「複数の走査線、複数の発光制御線および複数のデータ線を含み、前記複数のデータ線に伝達されるデータ信号に対応する画像を表示する画素部と、
　前記走査線に走査信号を伝達し、前記発光制御線に発光制御信号を伝達する走査駆動部と、
　前記データ線に前記データ信号を伝達するデータ駆動部と、
　前記走査駆動部および前記データ駆動部に制御信号および／またはデータを提供するタイミング制御部と、
　周辺光に対応する感知信号を生成し、前記感知信号により前記画素部の輝度を制御する輝度制御ユニットと、
を含み、
　前記輝度制御ユニットは、
　前記画素部に初期画面が表示される前に画素部外部の周辺光を感知して、前記画素部に最初に表示される初期画面を前記周辺光に対応する輝度に制御し、
　前記輝度制御ユニットは、
　周辺光の明るさを複数の段階に区分して感知し、前記初期画面が表示される直前に感知された前記各段階の明るさに対応する感知信号を出力する光感知部と、
　前記感知信号に対応して前記画素部の輝度を調節する複数の輝度のレジスタ設定値を設定、保存するレジスタ生成部と、
　前記感知信号を用いて前記レジスタ設定値を選択する制御信号を出力する変換処理部と、
　を備え、
　前記輝度のレジスタ設定値は、各階調に対応するガンマ値に設定されることを特徴とする、有機発光表示装置。」（以下、「本願発明」という。）
　
４．引用例記載の事項・引用発明・技術事項
（１）引用例１
　引用例１には、次の事項（ａ）ないし（ｅ）が図面とともに記載されている。
（ａ）
「【０００１】
  本発明は、有機または無機エレクトロルミネッセンス（ＥＬ）素子を用いたＥＬ表示パネルなどの自発光表示パネルに関するものである。また、これらの表示パネルなどの駆動回路（ＩＣ）に関するものである。ＥＬ表示パネルなどの駆動方法と駆動回路およびそれらを用いた情報表示装置などに関するものである。」
　
（ｂ）
「【００４９】
  ゲート信号線（第１の走査線）１７ａをアクティブ（ＯＮ電圧を印加）とすることによりＥＬ素子１５の駆動用のトランジスタ１１ａおよびスイッチ用トランジスタ１１ｃを通して、前記ＥＬ素子１５に流すべき電流値をソースドライバ回路１４から流す。また、トランジスタ１１ａのゲートとドレイン間を短絡するようにトランジスタ１１ｂがゲート信号線１７ａアクティブ（ＯＮ電圧を印加）となることにより開くと共に、トランジスタ１１ａのゲートとソース間に接続されたコンデンサ（キャパシタ、蓄積容量、付加容量）１９にトランジスタ１１ａのゲート電圧（あるいはドレイン電圧）を記憶する（図３（ａ）を参照のこと）。
・・・
【００５１】
  ゲート信号線１７ａを非アクティブ（ＯＦＦ電圧を印加）、ゲート信号線１７ｂをアクティブとして、電流の流れる経路を前記第１のトランジスタ１１ａ並びにＥＬ素子１５に接続されたトランジスタ１１ｄならびに前記ＥＬ素子１５を含む経路に切り替えて、記憶した電流を前記ＥＬ素子１５に流すように動作する（図３（ｂ）を参照のこと）。
・・・
【００５８】
  図１の画素構成の場合、図３（ａ）に示すように、電流プログラム時は、プログラム電流Ｉｗがソース信号線１８に流れる。この電流Ｉｗがトランジスタ１１ａを流れ、Ｉｗを流す電流が保持されるように、コンデンサ１９に電圧設定（プログラム）される。このとき、トランジスタ１１ｄはオープン状態（オフ状態）である。
【００５９】
  次に、ＥＬ素子１５に電流を流す期間は図３（ｂ）のように、トランジスタ１１ｃ、１１ｂがオフし、トランジスタ１１ｄが動作する。つまり、ゲート信号線１７ａにオフ電圧（Ｖｇｈ）が印加され、トランジスタ１１ｂ、１１ｃがオフする。一方、ゲート信号線１７ｂにオン電圧（Ｖｇｌ）が印加され、トランジスタ１１ｄがオンする。
・・・
【００６１】
  図４でわかるように、各選択された画素行（選択期間は、１Ｈとしている）において、ゲート信号線１７ａにオン電圧が印加されている時には、ゲート信号線１７ｂにはオフ電圧が印加されている。また、この期間は、ＥＬ素子１５には電流が流れていない（非点灯状態）。選択されていない画素行において、ゲート信号線１７ａにオフ電圧が印加され、ゲート信号線１７ｂにはオン電圧が印加されている。また、この期間は、ＥＬ素子１５に電流が流れている（点灯状態）。」
　
（ｃ）
「【０１２１】
  ゲートドライバ１２はゲート信号線１７ａ用のシフトレジスタ回路６１ａと、ゲート信号線１７ｂ用のシフトレジスタ回路６１ｂとを内蔵する。各シフトレジスタ回路６１は正相と負相のクロック信号（ＣＬＫｘＰ、ＣＬＫｘＮ）、スタートパルス（ＳＴｘ）で制御される（図６を参照のこと）。その他、ゲート信号線の出力、非出力を制御するイネーブル（ＥＮＡＢＬ）信号、シフト方向を上下逆転するアップダウン（ＵＰＤＷＭ）信号を付加することが好ましい。他に、スタートパルスがシフトレジスタにシフトされ、そして出力されていることを確認する出力端子などを設けることが好ましい。なお、シフトレジスタのシフトタイミングはコントロールＩＣ８１からの制御信号で制御される。また、外部データのレベルシフトを行うレベルシフト回路を内蔵する。
・・・
【０１２４】
  たとえば、図６ではソースドライバ１４の出力が直接ソース信号線１８に接続されているように図示したが、実際には、ソースドライバのシフトレジスタの出力は多段のインバータ回路が接続されて、インバータの出力がトランスファーゲートなどのアナログスイッチのゲートに接続されている。
・・・
【０１２６】
  図８は本発明の表示装置の信号、電圧の供給の構成図あるいは表示装置の構成図である
。コントロールＩＣ８１からソースドライバ回路１４ａに供給する信号（電源配線、データ配線など）はフレキシブル基板８４を介して供給する。
【０１２７】
  図８ではゲートドライバ１２の制御信号はコントロールＩＣで発生させ、ソースドライバ１４で、レベルシフトを行った後、ゲートドライバ１２に印加している。ソースドライバ１４の駆動電圧は４〜８（Ｖ）であるから、コントロールＩＣ８１から出力された３．３（Ｖ）振幅の制御信号を、ゲートドライバ１２が受け取れる５（Ｖ）振幅に変換することができる。」
　
（ｄ）
「【０３９８】
  ゲートドライバ１２にはゲート信号線１７ａが接続されている。ゲート信号線１７ａにオン電圧を印加することにより、画素行が選択され、選択された各画素のトランジスタ１１ｂ、１１ｃはオンして、ソース信号線１８に印加された電流（電圧）を各画素のコンデンサ１９にプログラムする。一方、ゲート信号線１７ｂは各画素のトランジスタ１１ｄのゲート（Ｇ）端子と接続されている。したがって、点灯制御線４０１にオン電圧（Ｖｇｌ）が印加されたとき、駆動用トランジスタ１１ａとＥＬ素子１５との電流経路を形成し、逆にオフ電圧（Ｖｇｈ）が印加された時は、ＥＬ素子１５のアノード端子をオープンにする。」
　
（ｅ）
「【１２４２】
  表示パネル（表示装置）が使用する環境に合わせて選択するガンマカーブを変化することも有効である。特にＥＬ表示パネルでは、屋内では良好な画像表示を実現できるが、屋外では低階調部は見えない。ＥＬ表示パネルは自発光のためである。そこで、図８７に図示するように、ガンマカーブを変化させてもよい。ガンマカーブａは屋内用のガンマカーブである。ガンマカーブｂは屋外用のガンマカーブである。ガンマカーブａとｂとの切り替えは、ユーザーがスイッチを操作することにより切り替えるようにする。また、外光の明るさをホトセンサで検出し、自動的に切り替えるようにしてもよい。なお、ガンマカーブを切り替えるとしたが、これに限定するものではない。計算によりガンマカーブを発生させてもよいことは言うまでもない。屋外の場合は、外光があかるいため、低階調表示部は見えない。したがって、低階調部をつぶすガンマカーブｂを選択することが有効である。
【１２４３】
  屋外では、図８８のようにガンマカーブを発生させることも有効である。ガンマカーブａは１２８階調目までは出力階調は０にする。１２８階調からガンマ変換を行う。以上のように、低階調部は全く表示しないようにガンマ変換することにより消費電力を削減できる。また、図８８のガンマカーブｂのようにガンマ変換を行っても良い。図８８のガンマカーブは１２８階調目までは出力階調を０にする。１２８以上は出力階調を５１２以上とする。図８８のガンマカーブｂでは高階調部を表示し、出力階調数も少なくすることにより屋外でも画像表示を見えやすくする効果がある。」
　
　上記記載（ｂ）（段落００５８）、並びに、表示パネルの画素構成図である図１及び表示装置の構成図である図６より、
ア　「複数のゲート信号線１７ａ、複数のゲート信号線１７ｂ及び複数のソース信号線１８のそれぞれと接続する画素１６を複数備えた表示画面５０」の技術事項が読み取れる。
　
  上記記載（ｃ）（段落０１２１、０１２４）及び図６より、
イ　「複数のゲート信号線１７ａ，１７ｂと接続するゲートドライバ１２、複数のソース信号線１８と接続するソースドライバ１４」の技術事項が読み取れる。
　
　上記記載（ｃ）（段落０１２６、０１２７）及び図８より、
ウ　「コントロールＩＣ８１は、データ信号線８８を介してソースドライバ１４に接続し、さらにゲート制御信号線８９を介してゲートドライバ１２に接続」するとの技術事項が読み取れる。
　
　上記記載（ｂ）（段落００４９、００５８、００６１）、記載（ｄ）（段落０３９８）より、
エ　「ゲートドライバ１２は、ゲート信号線１７ａにオン電圧を印加することにより、画素行が選択され、選択された各画素のトランジスタ１１ｂ、１１ｃはオンし、ソースドライバ１４は、ソース信号線１８に前記ＥＬ素子１５に流すべき電流値を流し、ソース信号線１８に印加された電流（電圧）を各画素のコンデンサ１９にプログラムする（非点灯状態）」との技術事項が読み取れる。
　
　上記記載（ｂ）（段落００５１、００６１）より、
オ　「ゲート信号線１７ｂにオン電圧を印加することにより、ＥＬ素子１５に電流を流す（点灯状態）」との技術事項が読み取れる。
　
　上記記載（ｃ）（段落０１２７）より、
カ　「コントロールＩＣ８１で発生させたゲートドライバ１２の制御信号は、ソースドライバ１４で、レベルシフトを行った後、ゲートドライバ１２に印加」するとの技術事項が読み取れる。
　
　上記記載（ｃ）（段落０１２６）より、
キ　「コントロールＩＣ８１からソースドライバ１４に信号を供給する」との技術事項が読み取れる。
　
　上記記載（ｅ）（段落１２４２）より、
ク　「外光の明るさをホトセンサで検出し、屋内用のガンマカーブａと屋外用のガンマカーブｂとを自動的に切り替える」との技術事項が読み取れる。
　
　上記記載（ａ）（段落０００１）より、
ケ　「有機エレクトロルミネッセンス（ＥＬ）素子を用いたＥＬ表示パネル」であるとの技術事項が読み取れる。
　
　以上の技術事項アないしケを総合勘案すると、引用例１には次の発明が記載されているものと認められる。
　
「複数のゲート信号線１７ａ、複数のゲート信号線１７ｂ及び複数のソース信号線１８のそれぞれと接続する画素１６を複数備えた表示画面５０と、
複数のゲート信号線１７ａ，１７ｂと接続するゲートドライバ１２と、
複数のソース信号線１８と接続するソースドライバ１４と、
データ信号線８８を介してソースドライバ１４に接続し、さらにゲート制御信号線８９を介してゲートドライバ１２に接続するコントロールＩＣ８１と、
　を含み、
　ゲートドライバ１２は、ゲート信号線１７ａにオン電圧を印加することにより、画素行が選択され、選択された各画素のトランジスタ１１ｂ、１１ｃはオンし、ソースドライバ１４は、ソース信号線１８にＥＬ素子１５に流すべき電流値を流し、ソース信号線１８に印加された電流（電圧）を各画素のコンデンサ１９にプログラムし（非点灯状態）、
　ゲート信号線１７ｂにオン電圧を印加することにより、前記ＥＬ素子１５に電流を流し（点灯状態）、
　コントロールＩＣ８１は、ゲートドライバ１２及びソースドライバ１４に、制御信号や信号を供給するものであり、
外光の明るさをホトセンサで検出し、屋内用のガンマカーブａと屋外用のガンマカーブｂとを自動的に切り替える
有機エレクトロルミネッセンス（ＥＬ）素子を用いたＥＬ表示パネル」（以下、「引用発明」という。）
　
（２）引用例２
　引用例２には、次の事項（ａ）及び（ｂ）が図面とともに記載されている。
（ａ）
「【０００４】
【発明が解決しようとする課題】ところで、透過型の液晶表示装置には、外光が強いときにはバックライトの照度を高くしないと視認性が低下し、逆に外光が弱いときには、バックライトの照度を高くしなくても視認性は低下しない反面この照度を高くしすぎるとユーザーが眩しく感じてしまうという特徴がある。そして、携帯情報端末の使用場所は、日中の屋外であったり、照明の十分な屋内であったり、照明の不十分な屋内であったりと様々なので、バックライトの照度をそれぞれの使用場所に適したものに調節しなければ、液晶表示装置の視認性を常に十分に確保することはできない。」
（ｂ）
「【００３５】次に、この携帯情報端末におけるバックライト１３の照度の調節動作の一例を説明する。図５は、バックライト１３の照度の調節のためにＣＰＵ４１が実行する処理の一例を示すフローチャートである。主電源３１がオンにされるとこの処理を開始し、最初に、光センサ５による外光の強度の検出結果をアンプ４８及びＡ／Ｄ変換器４９を介して読み込む（ステップＳ１）。続いて、ＲＯＭ４２内の変換テーブルを参照して、検出された外光の強度に対応するバックライト１３の照度を求める（ステップＳ２）。そして、Ｄ／Ａ変換器５０を介して昇圧ＤＣ−ＤＣコンバータ３３の出力電圧を制御することにより、ステップＳ２で求めた照度でバックライト１３を点灯する（ステップＳ３）。」
　
　上記記載（ａ)及び（ｂ）より、引用例２には、
「日中の屋外や照明の不十分な屋内などの使用場所であっても、表示装置の視認性を確保するものであって、主電源オン後点灯表示までの間に、光センサにより検出された外光の強度に対応する表示装置の調節を行う」との技術事項が記載されている。
　
５．対比
　本願発明と引用発明とを、主たる構成要件毎に順次対比する。
　引用発明における「ソース信号線１８」、「画素１６を複数備えた表示画面５０」、「ゲートドライバ１２」、「ソースドライバ１４」、「ホトセンサ」及び「有機エレクトロルミネッセンス（ＥＬ）素子を用いたＥＬ表示パネル」は、本願発明の「データ線」、「画素部」、「走査駆動部」、「データ駆動部」、「光感知部」及び「有機発光表示装置」にそれぞれ相当する。
　
　引用発明において、ゲート信号線１７ａにオン電圧を印加することにより、画素行が選択されることから、引用発明における「ゲート信号線１７ａ」は、本願発明における「走査線」に相当する。
　引用発明において、ゲート信号線１７ｂにオン電圧を印加することにより、ＥＬ素子１５に電流を流す（点灯状態）ことから、引用発明における「ゲート信号線１７ｂ」は、本願発明における「発光制御線」に相当する。
　
　以上のことを踏まえると、
　引用発明における「複数のゲート信号線１７ａ、複数のゲート信号線１７ｂ及び複数のソース信号線１８のそれぞれと接続する画素１６を複数備えた表示画面５０」は、本願発明における「複数の走査線、複数の発光制御線および複数のデータ線を含み、前記複数のデータ線に伝達されるデータ信号に対応する画像を表示する画素部」に相当する。
　引用発明における「複数のゲート信号線１７ａ，１７ｂと接続するゲートドライバ１２」は、本願発明における「前記走査線に走査信号を伝達し、前記発光制御線に発光制御信号を伝達する走査駆動部」に相当する。
　引用発明における「複数のソース信号線１８と接続するソースドライバ１４」は、ソース信号線１８にＥＬ素子１５に流すべき電流値を流すものであるから、本願発明における「前記データ線に前記データ信号を伝達するデータ駆動部」に相当する。
　引用発明における「データ信号線８８を介してソースドライバ１４に接続し、さらにゲート制御信号線８９を介してゲートドライバ１２に接続するコントロールＩＣ８１」は、「ゲートドライバ１２及びソースドライバ１４に、制御信号や信号を供給するものであ」るから、本願発明における「前記走査駆動部および前記データ駆動部に制御信号および／またはデータを提供するタイミング制御部」に相当する。
　引用発明における「ガンマカーブ」が、本願発明における「画素部の輝度を調節する」「各階調に対応するガンマ値」に相当する。
　引用発明において、「外光の明るさをホトセンサで検出し、屋内用のガンマカーブａと屋外用のガンマカーブｂとを自動的に切り替え」ていることから、引用発明が、「周辺光に対応する感知信号を生成し、前記感知信号により前記画素部の輝度を制御する輝度制御ユニット」を備え、ホトセンサを用いて、周辺光の明るさを複数の段階に区分して感知し、感知された前記各段階の明るさに対応する感知信号を出力し、複数のガンマカーブを切り替え設定するための構成を有していることは明らかである。
　してみると、引用発明と本願発明は、「周辺光に対応する感知信号を生成し、前記感知信号により前記画素部の輝度を制御する輝度制御ユニットと、
を含み、
　前記輝度制御ユニットは、
　周辺光の明るさを複数の段階に区分して感知し、感知された前記各段階の明るさに対応する感知信号を出力する光感知部と、
　感知信号に対応して前記画素部の輝度を調節する複数の各階調に対応するガンマ値を切り替え設定するための構成」を有する点で共通しているといえる。
　
　よって、両者の一致点及び相違点は、以下のとおりである。
（一致点）
「複数の走査線、複数の発光制御線および複数のデータ線を含み、前記複数のデータ線に伝達されるデータ信号に対応する画像を表示する画素部と、
　前記走査線に走査信号を伝達し、前記発光制御線に発光制御信号を伝達する走査駆動部と、
　前記データ線に前記データ信号を伝達するデータ駆動部と、
　前記走査駆動部および前記データ駆動部に制御信号および／またはデータを提供するタイミング制御部と、
　周辺光に対応する感知信号を生成し、前記感知信号により前記画素部の輝度を制御する輝度制御ユニットと、
を含み、
　前記輝度制御ユニットは、
　周辺光の明るさを複数の段階に区分して感知し、感知された前記各段階の明るさに対応する感知信号を出力する光感知部と、
感知信号に対応して前記画素部の輝度を調節する複数の各階調に対応するガンマ値を切り替え設定するための構成を備える
有機発光表示装置。」
　
（相違点１）
　本願発明は、「初期画面が表示される前に画素部外部の周辺光を感知して、初期画面を前記周辺光に対応する輝度に制御」し、感知のタイミングを「初期画面が表示される直前」としているのに対し、引用発明は、そのように制御しているか明らかでない点。
　
（相違点２）
　本願発明は、「複数のレジスタ設定値を設定、保存するレジスタ生成部と、前記感知信号を用いて前記各レジスタ設定値を選択する制御信号を出力する変換処理部とを備え、前記輝度のレジスタ設定値は、各階調に対応するガンマ値に設定される」のに対し、引用発明は、検出された「外光の明るさ」に対応してガンマカーブ（画素部の輝度を調節する各階調に対応するガンマ値）を切り替え設定するための構成を有するにとどまる点。
　
６．判断
（１）上記相違点１について検討する。
　引用例２には、「日中の屋外や照明の不十分な屋内などの使用場所であっても、表示装置の視認性を確保するものであって、主電源オン後点灯表示までの間に、光センサにより検出された外光の強度に対応する表示装置の調節を行う」との技術事項が記載されている。
　引用発明も引用例２に記載された技術事項も、共に、光センサで検知された外光の強度に対応した表示装置の調節を行うものであるから、引用発明に引用例２に記載された技術事項を適用し、引用発明において、主電源オン後点灯表示までの間、すなわち初期画面の表示の前にホトセンサで検出された外光の明るさに対応した表示の調節を行うようにすることに、困難性は見いだせない。また、その適用の際に、外光強度の検知から時間遅れなく調節が反映された表示となるよう、外光検知のタイミングを初期画面が表示される直前にすることも、当業者にとって自然なことである。
　したがって、引用発明に引用例２に記載された技術事項を適用し、本願発明のように、「初期画面が表示される前に画素部外部の周辺光を感知して、初期画面を前記周辺光に対応する輝度に制御」し、感知のタイミングを「初期画面が表示される直前」とすることは、当業者ならば容易に想到し得たことである。
　
（２）上記相違点２について検討する。
　原査定の拒絶の理由で、周知例として引用された、本願優先日前に日本国内において頒布された刊行物である特開２００２−３６６１１２号公報（段落００７６ないし００７９及び図１５の記載参照。）に記載されているように、ガンマ特性の調整において、ガンマ特性の設定にレジスタを用い、状態に応じた設定値が書き込まれた複数のレジスタの中から、状態を判別する信号によりセレクタ回路で選択することは、本願優先日前に周知である。（以下、「周知技術」という。）
　よって、引用発明における、検出された「外光の明るさ」に対応してガンマカーブ（画素部の輝度を調節する各階調に対応するガンマ値）を切り替え設定するための構成として、ガンマ特性の調整に係る上記周知技術を適用し、引用発明において、ガンマ特性すなわちガンマカーブの設定にレジスタを用い、検出された「外光の明るさ」、すなわち状態を判別する信号により、外光の明るさに応じたガンマカーブの設定されたレジスタを選択することに、困難性は見いだせない。また、この適用の際に、複数の「外光の明るさ」に応じたガンマカーブ（各階調に対応するガンマ値）の設定されたレジスタが、複数の輝度のレジスタ設定値を設定、保存することにより生成されること（レジスタ生成部を備えること）、及び「外光の明るさ」、すなわち状態を判別する信号により、外光の明るさに応じたガンマカーブの設定されたレジスタを選択するために、各レジスタ設定値を選択する制御信号が用いられること（変換処理部を備えること）は、当業者にとって明らかである。
　したがって、引用発明に周知技術を適用し、本願発明のように、「複数のレジスタ設定値（各階調に対応するガンマ値）を設定、保存するレジスタ生成部と、前記感知信号を用いて前記各レジスタ設定値（各階調に対応するガンマ値）を選択する制御信号を出力する変換処理部とを備え」ることは、当業者ならば容易に想到し得たことである。
　
　そして、本願発明の作用効果も、引用発明、引用例２に記載された技術事項及び周知技術から当業者が予測可能なものであって格別のものではない。
　
７．むすび
　以上のとおり、本願発明は、引用発明、引用例２に記載された技術事項及び周知技術に基づいて当業者が容易に発明をすることができたものであるから、特許法第２９条第２項の規定により特許を受けることができない。
　したがって、他の請求項に係る発明について審理するまでもなく、本願は拒絶すべきものである。
　よって、結論のとおり審決する。